(57)【要約】【課題】ロボットによる自動交換に好適な機能を備えたチップホルダ収納体を提供する。【解決手段】  チップホルダ１２を収納するチップホルダ収納体１５であって、該チップホルダ収納体１５は、収納穴１５ａを有する本体１５ｂと、該収納穴１５ａの前開口部をカバーする着脱可能な前部キャップ１５ｃとを備え、該前部キャップ１５ｃは、本体１５ｂに設けた貫通孔１５ｊから収納穴１５ａに向かって挿通される弾性ストッパ１５ｉを有し、該弾性ストッパ１５ｉは、収納穴１５ａに収納されたチップホルダ１２の前進移動を規制するように形成されており、さらに、前部キャップ１５ｃの弾性ストッパ１５ｉ近傍に、弾性ストッパ部分を切り離すことが可能な切取線１５ｎを設けるようにする。【選択図】図５
2014008713.tif 000002
【特許請求の範囲】
【請求項１】
チップホルダを収納するチップホルダ収納体であって、
該チップホルダ収納体は、チップホルダを収納する収納穴を有する本体と、該収納穴の前開口部をカバーする着脱可能な前部キャップとを備え、
該前部キャップは、前記本体に設けられた貫通孔から前記収納穴に向かって挿通される弾性ストッパを有し、該弾性ストッパは、前記貫通孔に挿通されたときに、その頭部の一部が前記収納穴から突出して、前記収納穴に収納されたチップホルダの前進移動を規制するものであり、
該前部キャップの前記弾性ストッパの近傍には、前記弾性ストッパを切り離すことが可能な切取線が設けられているチップホルダ収納体。
【請求項２】
前記チップホルダは、基板加工装置のスクライブヘッドに取り付けられる胴部と、該胴部の一端に該胴部の軸心に平行に形成された一対の平坦面と、該一対の平坦面の間に該一対の平坦面と平行に形成された切り欠き溝と、該切り欠き溝に取り付けられたホイールチップと、前記一対の平坦面のいずれかに設けられたコードとを備え、
該チップホルダが前記弾性ストッパにより前進移動を規制されて停止したときには、前記コードが設けられた平坦部が前記収納穴から露出するように構成されている請求項１に記載のチップホルダ収納体。
【請求項３】
前記チップホルダ収納体は、前記収納穴の後開口部をカバーする着脱可能な後部キャップを備えている請求項１または２に記載のチップホルダ収納体。
【請求項４】
前記チップホルダ収納体は、前記収納穴の後開口部の近傍に、収納されたチップホルダの脱落を防止する弾性爪を備えている請求項１または２に記載のチップホルダ収納体。
【発明の詳細な説明】
【技術分野】
【０００１】
本発明は、テーブル上に載置した基板の表面に、円周稜線にＶ字型の刃先が形成されたホイールチップ（カッターホイール、またはスクライビングホイールともいう）を押しつけながらスクライブすることにより、前記基板に分断用のスクライブラインを加工したり、分断（ブレイク）したりする基板加工装置に用いられるチップホルダの収納体に関する。
【背景技術】
【０００２】
従来から、ガラス、シリコン、セラミック、半導体などの脆性材料からなる基板や貼り合わせ基板（以下単に「基板」という）の表面に、ホイールチップでスクライブ予定ラインに沿ったスクライブライン（分断用の溝）を形成したり、あるいは、分断予定ラインから完全分断したりする基板加工装置が知られている（例えば特許文献１、特許文献２参照）。
【０００３】
図１６は、上記特許文献などに開示されている、従来の基板加工装置の一例を示す概略的な斜視図である。この基板加工装置Ｂは、加工対象となる基板Ｗを載置して保持する水平なテーブル３１を備えている。テーブル３１は、モータを内蔵する回転駆動部３２により水平面内で回動できるようになっており、かつ、水平なレール３３に沿ってＹ方向に移動できるように構成されている。このＹ方向の移動は、モータ３４によって回転するネジ軸３５により行われる。
【０００４】
基板加工装置Ｂには、一対の支柱３６、３６と、これら支柱３６、３６をつなぐようにＸ方向に水平に延びるガイドバー３７とを備えたブリッジ３８が、テーブル３１を跨ぐようにして設けられている。ガイドバー３７には、Ｘ方向に水平に延びるガイド３９が設けられ、スクライブヘッド４０がガイド３９に沿ってＸ方向に移動できるように配置されている。スクライブヘッド４０のＸ方向への移動はモータ４１の駆動によって行われる。スクライブヘッド４０にはホイールチップ４２ｅを備えたチップホルダ４２がホルダジョイント４３を介して着脱可能に取り付けられる。スクライブヘッド４０の内部には、ホルダジョイント４３の昇降を可能とする昇降機構が組み込まれている。
【０００５】
このような構成のもとで、テーブル３１上に載置した基板Ｗにホイールチップ４２ｅを押しつけながらホイールチップ４２ｅとテーブル３１の一方または双方を移動させることにより、基板ＷをＸ−Ｙ方向にスクライブしてスクライブ溝を形成したり分断したりすることができるようになっている。
【０００６】
図１７並びに図１８は、従来のチップホルダ４２及びホルダジョイント４３の構成を示すものである。チップホルダ４２は略円柱状の胴部４２ａと、胴部４２ａの一端（下端）で胴部４２ａの軸心に対して平行かつ互いに対称に形成された一対の平坦面４２ｂ、４２ｂとを備え、さらに、これら一対の平坦面４２ｂ、４２ｂの間に、該平坦面４２ｂと平行に形成された切り欠き溝４２ｃが胴部４２ａの軸心に沿って形成されている。この切り欠き溝４２ｃに、胴部４２ａの軸心に対して直交するホイール軸４２ｄを介してホイールチップ４２ｅが回転自在に取り付けられている。一対の平坦面４２ｂの一方には、このチップホルダ４２に取り付けられているホイールチップ４２ｅの直径や種類、ホイールチップを取り付ける際の設定情報などの管理上有用な固有のデータを記録したコード４２ｉが印字されている。
【０００７】
また、胴部４２ａの他端（上端）には、ホルダジョイント４３に取り付ける際の位置決め用の取付部４２ｆが設けられている。取付部４２ｆは、胴部４２ａを切り欠いて形成された平面部４２ｇと傾斜面４２ｈとを備えている。平面部４２ｇは胴部４２ａの軸心とは平行であり、下方にある一対の平坦面４２ｂとは直交している。また、胴部４２ａは鉄などの磁性体金属で構成されている。
【０００８】
ホルダジョイント４３は、上部にベアリング４３ａを備えており、下部がチップホルダ４２を保持する保持部４３ｂとなっている。保持部４３ｂには、下方に向かって開口する断面略円形の開口部４３ｃが設けられており、その内奥部に磁石４３ｊが取り付けられている。さらに、開口部４３ｃの内部には、開口部の軸心とは離れた箇所で該軸心と垂直な方向に延びる位置決め用の平行ピン４３ｄが設けられている。この平行ピン４３ｄは、チップホルダ４２が開口部４３ｃに挿入されたときに、チップホルダ４２の傾斜面４２ｈに接触してチップホルダ４２の方向や姿勢が一定になるように位置決めするものである。
【０００９】
チップホルダ４２をホルダジョイント４３に取り付ける際は、図１８に示すように、ホルダジョイント４３の開口部４３ｃにチップホルダ４２を、その取付部４２ｆから挿入して行う。取付部４２ｆがホルダジョイント４３の開口部４３ｃに挿入されると、チップホルダ４２の傾斜面４２ｈに平行ピン４３ｄが接触して位置決めされると共に、チップホルダ４２の上端部が磁石４３ｊに磁着されて保持される。これにより、チップホルダ４２の姿勢が一定方向に向いた状態で簡単にホルダジョイント４３に取り付けることができる。ホイールチップ４２ｅを取り替えるときは、ホルダジョイント４３の開口部４３ｃからチップホルダ４２を磁石の磁力に抗して引き抜いてチップホルダごと交換する。新たに取り付けられるチップホルダ４２は、平坦面４２ｂに印字されているチップ固有のデータを記録したコード４２ｉを別途に設置したリーダで読み取ることにより選択される。
【先行技術文献】
【特許文献】
【００１０】
【特許文献１】国際公開番号ＷＯ２００７／０６３９７９公報
【特許文献２】特開２０１１−２１８８１５号公報
【発明の概要】
【発明が解決しようとする課題】
【００１１】
ホイールチップが所定の走行距離を走って交換時期に達したときや、別仕様のホイールチップを必要とするときは、基板加工装置Ｂを停止させた後、チップホルダの交換が行われる。具体的には、チップホルダをスクライブヘッドのホルダジョイントから取り外した後、保管してあるチップホルダの中からリーダでコードを読み取ることにより所望のチップホルダを選択し、この選択されたチップホルダをホルダジョイントに取り付ける。このような交換作業はオペレータが手作業で行うと手間がかかるので、ロボットで自動的に行うのが好都合である。
【００１２】
ロボットで交換作業を行う場合、複数のチップホルダから希望するチップホルダを選ぶのに、コードを備えたチップホルダの平坦面をリーダで読み取りやすいように、かつ、ロボットで引き出しやすいように配置する必要がある。この場合、チップホルダは直径約２〜３ｍｍの小さなホイールチップを備えているので、コード面を露出させた状態でホイールチップが傷つかないように、例えば載置台などに安定的に載置することが要求される。また、ロボットでチップホルダを選択して掴み、そのままスクライブヘッドのホルダジョイントまで運んで装着するためには、載置台とロボットとの相関的な組み付けに配慮しなければならない。
しかし、従来は、このようなロボットによるチップホルダの自動交換に好適なシステム構成は開示されておらず、未解決のままであった。
【００１３】
そこで本発明は、上記課題に鑑み、ロボットによる自動交換に好適な機能を備えたチップホルダ収納体を提供することを目的とする。
【課題を解決するための手段】
【００１４】
上記課題を解決するために、本発明では次のような技術的手段を講じた。即ち、本発明のチップホルダ収納体は、チップホルダを収納する収納穴を有する本体と、該収納穴の前開口部をカバーする着脱可能な前部キャップとを備え、該前部キャップは、前記本体に設けられた貫通孔から前記収納穴に向かって挿通される弾性ストッパを有し、該弾性ストッパは、前記貫通孔に挿通されたときに、その頭部の一部が前記収納穴から突出して、前記収納穴に収納されたチップホルダの前進移動を規制するものであり、該前部キャップの前記弾性ストッパの近傍には、前記弾性ストッパを切り離すことが可能な切取線が設けられている構成とした。
【発明の効果】
【００１５】
本発明によれば、チップホルダをチップホルダ収納体に収納して格納したり搬送したりするときに、前部キャップによってチップホルダのホイールチップが保護されて刃先が損傷するのを防止できるとともに、前部キャップを取り外す場合には、切取線から切り離すことにより、弾性ストッパのみをチップホルダ収納体の本体に残して、チップホルダの前進移動を規制するストッパとして機能させることができる。
【００１６】
本発明において、前記チップホルダは、基板加工装置のスクライブヘッドに取り付けられる胴部と、該胴部の一端に該胴部の軸心に平行に形成された一対の平坦面と、該一対の平坦面の間に該一対の平坦面と平行に形成された切り欠き溝と、該切り欠き溝に取り付けられたホイールチップと、前記一対の平坦面のいずれかに設けられたコードとを備え、該チップホルダが前記弾性ストッパによりその前進移動を規制されて停止したときには、前記コードが設けられた平坦部が前記収納穴から露出する構成とするのがよい。
これにより、次工程でのコードの読み取りやチップホルダの取り出しが容易となる。
【００１７】
また、本発明において、前記チップホルダ収納体は、収納されたチップホルダの脱落を防止する着脱可能な後部キャップ若しくは弾性爪を収納穴の後開口部に設けるのがよい。
これにより、チップホルダが収納穴の後開口部から脱落するのを防止することができる。
【図面の簡単な説明】
【００１８】
【図１】本発明に係るチップホルダを備えた基板加工装置の一例を示す斜視図。
【図２】本発明に係るチップホルダの一例を示す図。
【図３】本発明に係るチップホルダと、これを取り付けるホルダジョイントを示す斜視図。
【図４】本発明に係るチップホルダとホルダジョイントを示す一部断面正面図。
【図５】チップホルダ収納体の一例を示す分解斜視図。
【図６】チップホルダ収納体にチップホルダを収納した状態の断面図。
【図７】図５に示すチップホルダ収納体における弾性ストッパの動作を示す説明図。
【図８】チップホルダ収納体の別の実施例を示す断面図。
【図９】チップホルダ収納体のさらに別の実施例を示す断面図。
【図１０】図１に示す基板加工装置におけるロボットと載置棚を示す斜視図。
【図１１】載置棚の別実施例を示す斜視図。
【図１２】載置棚のさらに別の実施例を示す斜視図。
【図１３】図１に示す基板加工装置において、ＣＣＤカメラでアライメントマークを撮像した状態を示す説明図。
【図１４】図１に示す基板加工装置の制御系の構成を示すブロック図。
【図１５】外切り、内切りのスクライブ方法の説明図。
【図１６】従来の基板加工装置の一例を示す斜視図。
【図１７】従来のチップホルダを示す斜視図。
【図１８】従来のチップホルダとホルダジョイントを示す一部断面正面図。
【発明を実施するための形態】
【００１９】
以下において、本発明の詳細をその実施の形態を示す図面に基づいて説明する。
図１は、本発明に係るチップホルダを備えた基板加工装置の一例を示す概略的な斜視図である。この基板加工装置Ａは、加工対象となる基板Ｗを載置して保持する水平なテーブル１を備えている。テーブル１は、モータを内蔵する回転駆動部２により水平面内で回動できるようになっており、かつ、水平なレール３に沿ってＹ方向に移動できるように構成されている。このＹ方向の移動は、モータ４によって回転するネジ軸５より行われる。
【００２０】
基板加工装置Ａには、一対の支柱６、６と、これら支柱６、６をつなぐようにＸ方向に水平に延びるガイドバー７とを備えたブリッジ８が、テーブル１を跨ぐようにして設けられている。ガイドバー７には、Ｘ方向に水平に延びるガイド９が設けられ、スクライブヘッド１０がガイド９に沿ってＸ方向に移動できるように配置されている。スクライブヘッド１０のＸ方向への移動はモータ１１の駆動によって行われる。スクライブヘッド１０にはホイールチップ１２ｅを備えたチップホルダ１２がホルダジョイント１３を介して着脱可能に取り付けられる。スクライブヘッド１０の内部には、チップホルダ１２の昇降を可能とする昇降機構が組み込まれている。また、ブリッジ８の上部には、基板Ｗのアライメントマークを撮像する２台のＣＣＤカメラ１８、１８が設けられている。
【００２１】
このような構成のもとで、テーブル１上に載置した基板Ｗにホイールチップ１２ｅを押しつけながらホイールチップ１２ｅとテーブル１の一方または双方を移動させることにより、基板ＷをＸ−Ｙ方向にスクライブしてスクライブ溝を形成したり分断したりすることができるようになっている。
【００２２】
さらに、基板加工装置Ａのテーブル１の近傍に、チップホルダ１２を収納する複数のチップホルダ収納体１５を載置する載置棚１６と、チップホルダ１２をチップホルダ収納体１５から抜き出してスクライブヘッド１０のホルダジョイント１３に取り付けたり、あるいは、ホルダジョイント１３からチップホルダ１２を取り外したりするロボット１７とが設置されている。
【００２３】
図２は、チップホルダ１２の一例を示すものであって、図２（ａ）は正面図であり、図２（ｂ）は側面縦断面図であり、図２（ｃ）は斜視図である。チップホルダ１２は略円柱状の胴部１２ａと、胴部１２ａの一端（下端）で胴部１２ａの軸心に対して平行かつ互いに対称に形成された一対の平坦面１２ｂ、１２ｂとを備え、さらに、これら一対の平坦面１２ｂ、１２ｂの間に、該平坦面１２ｂと平行に形成された切り欠き溝１２ｃが胴部１２ａの軸心に沿って形成されている。この切り欠き溝１２ｃに、胴部１２ａの軸心に対して直交するホイール軸１２ｄを介してホイールチップ１２ｅが、その一部を胴部１２ａの下端面から露出させた状態で回転自在に取り付けられている。平坦面１２ｂの一方には、後述するように、このチップホルダ１２に取り付けられているホイールチップ１２ｅの直径や種類などの、管理上有用なチップ固有のデータを記録したコード１２ｉが印字されている。
【００２４】
また、胴部１２ａの他端（上端）には、ホルダジョイント１３に取り付ける際の位置決め用の取付部１２ｆが設けられている。取付部１２ｆは、胴部１２ａを切り欠いて形成された平面部１２ｇと傾斜面１２ｈとを備えている。平面部１２ｇは胴部１２ａの軸心とは平行であり、下方にある一対の平坦面１２ｂとは直交している。また、取付部１２ｆは鉄などの磁性体金属で構成されている。
【００２５】
さらに、一対の平坦面１２ｂ、１２ｂの下端部分には、平坦面１２ｂから突出する一本のピン１２ｊがそれぞれ設けられている。このピン１２ｊは平坦面１２ｂ、１２ｂにおいて回転対称位置あるいは左右対称位置に配置されているのが好ましい。ピン１２ｊは、後述するように、ロボット１７でチップホルダ１２をチップホルダ収納体１５から抜き出すときの掛かりとして作用する。なお、ピン１２ｊはそれぞれの平坦面において一本ずつ設けられているが、複数本設けてもよい。また、いずれか一方の平坦面１２ｂのピン１２ｊを省略することも可能である。なお、チップホルダ１２をチップホルダ収納体１５に収納したものを「チップホルダ収納セット」という。
【００２６】
胴部１２ａの外周面で取付部１２ｆの反対側には、胴部１２ａの軸心方向に延びるスライド溝１２ｋが設けられている。このスライド溝１２ｋは、後述するチップホルダ収納体１５の収納穴内面に形成された凸条１５ｓに嵌合するようになっている。このスライド溝１２ｋの一端は、切り欠き溝１２ｃに連なっている。
【００２７】
スクライブヘッド１０に取り付けられたホルダジョイント１３は、図３及び図４に示すように、上部にベアリング１３ａを備えており、下部がチップホルダ１２を保持する保持部１３ｂとなっている。保持部１３ｂには、下方に向かって開口する断面略円形の開口部１３ｃが設けられており、その内奥部に磁石１３ｅが取り付けられている。さらに、開口部１３ｃの内部には、開口部１３ｃの軸心とは離れた箇所で該軸心と垂直な方向に延びる位置決め用の平行ピン１３ｄが設けられている。この平行ピン１３ｄは、チップホルダ１２が開口部１３ｃに挿入されたときに、チップホルダ１２の傾斜面１２ｈ（図２参照）に接触してチップホルダ１２の姿勢を一定方向に位置決めするものである。本発明の場合、ホイールチップ１２ｅの回転走行方向がスクライブ方向と一致するように位置決めされている。
【００２８】
チップホルダ１２をホルダジョイント１３に取り付ける際は、図３に示すように、ホルダジョイント１３の開口部１３ｃにチップホルダ１２を、その取付部１２ｆから挿入して行う。取付部１２ｆがホルダジョイント１３の開口部１３ｃに挿入されると、チップホルダ１２の傾斜面１２ｈに接触して位置決めされると共に、チップホルダ１２の上端部が磁石１３ｅに磁着されて保持される。これにより、チップホルダ１２の姿勢が一定方向に向いた状態で簡単にホルダジョイント１３に取り付けることができる。ホイールチップ１２ｅを取り替えるときは、チップホルダ１２を磁石１３ｅの磁力に抗して引き抜き、チップホルダごと交換する。
【００２９】
図５は、チップホルダ１２を収納するチップホルダ収納体１５の一例を示す分解斜視図であり、図６はチップホルダ１２を収納した状態の断面図である。チップホルダ収納体１５は、前後に貫通する断面略円形の収納穴１５ａを備え、かつ、平らな底面１５ｙを有するドーム状本体１５ｂと、収納穴１５ａの前開口部を閉じる前部キャップ１５ｃと、後開口部を閉じる後部キャップ１５ｄとからなる。収納穴１５ａは、その軸心が底面１５ｙと平行に形成されている。ドーム状本体１５ｂには、収納穴１５ａの前開口部の下縁に連なって前方に延びる平らな顎部１５ｅが設けられている。
【００３０】
チップホルダ１２をチップホルダ収納体１５の収納穴１５ａに収納する際は、収納穴１５ａの後開口部からホイールチップ１２ｅを先頭にして挿入する。この挿入の際、チップホルダ１２のコード１２ｉを設けた平坦面１２ｂがドーム状本体１５ｂの底面１５ｙと平行で常に上向きの姿勢となるように、チップホルダ１２のスライド溝１２ｋが嵌合する凸条１５ｓが収納穴１５ａの内面に形成されている。チップホルダ１２のスライド溝１２ｋの一端は、切り欠き溝１２ｃに連なって形成されているので、チップホルダ１２を収納穴１５ａに挿入する際、切り欠き溝１２ｃがガイドとなって凸条１５ｓに嵌め込むことができ、挿入操作が容易となる。また、チップホルダ１２を収納穴１５ａに手で挿入する場合は、取付部１２ｆの平面部１２ｇを上に向けた状態で、平面部１２ｇに親指を添え、１８０°反対側のスライド溝１２ｋの近傍に人差し指を添え、両の指で挟むようにチップホルダ１２をつまんで収納穴１５ａに挿入すると、作業効率が向上する。
【００３１】
前部キャップ１５ｃは、弾性のある合成樹脂材で一体成形され、ドーム状本体１５ｂの底面１５ｙに面接する平らな板状部１５ｆと、ドーム状本体１５ｂの頂部周面に面接する円弧状上カバー１５ｇとを備えており、板状部１５ｆと円弧状上カバー１５ｇとは前壁１５ｈで連結されている。板状部１５ｆの上面には、傘状頭部１５ｋを有する弾性ストッパ１５ｉが上方に向かって突出して設けられており、ドーム状本体１５ｂの前開口部の近傍には、弾性ストッパ１５ｉを底面１５ｙから挿通させるための貫通孔１５ｊが形成されている。
【００３２】
弾性ストッパ１５ｉを貫通孔１５ｊに挿通するときは、まず図７（ａ）に示すように傘状頭部１５ｋが圧縮されて進入し、貫通孔１５ｊを抜けると図７（ｂ）に示すように傘状頭部１５ｋが原形に復元して拡大し、貫通孔１５ｊから抜け出ないようになっている。この姿勢において、弾性ストッパ１５ｉの傘状頭部１５ｋは、ドーム状本体１５ｂの収納穴１５ａの内周面から内側に少し突き出るようにその寸法が予め設定されている。さらに、弾性ストッパ１５ｉを貫通孔１５ｊに挿通した後、この弾性ストッパ１５ｉを残して前部キャップ１５ｃを除去することができるように、弾性ストッパ１５ｉ近傍の板状部１５ｆに脆弱な切取線１５ｎが設けられている。また、円弧状上カバー１５ｇの下面にはドーム状本体１５ｂの上周面に設けられた係合溝１５ｐに弾性係合する突起１５ｑ（図６参照）が形成されており、突起１５ｑの反対側、即ち、円弧状上カバー１５ｇの上面には、突起１５ｑの係合を解除するためのつまみ片１５ｒが設けられている。
【００３３】
切取線１５ｎから切り取られてドーム状本体１５ｂに残された弾性ストッパ１５ｉは、図６に示すように、収納穴１５ａに収納されたチップホルダ１２の平坦面１２ｂが収納穴１５ａの前開口部から露出した位置で、チップホルダ１２の前進を一時的に制止するストッパとして機能する。即ち、チップホルダ１２の平坦面１２ｂに隣接する肩部１２ｍが弾性ストッパ１５ｉの傘状頭部１５ｋに当接して弾性ストッパ１５ｉの弾性変形の範囲内で前進が制止される。そして、図７（ｄ）に示すように、弾性ストッパ１５ｉの弾性力に抗してチップホルダ１２を前開口部から引き出し方向に強く引っ張ると、弾性ストッパ１５ｉは傾倒してチップホルダ１２の進行を許すように形成されている。この場合、弾性ストッパ１５ｉが傾倒できるように、貫通孔１５ｊは余裕を持たせて形成する。なお、肩部１２ｍは、図に示すような傾斜面や円弧が好ましいが、傘状頭部１５ｋを弾力に抗して乗り越えることができれば、略直角なエッジであってもよい。
【００３４】
後部キャップ１５ｄは、弾性のある合成樹脂材で一体成形され、キャップ内面の上下に形成された突起１５ｔが、ドーム状本体１５ｂの外周面の上下に設けられた係合溝１５ｕに弾性的に係合して着脱自在に取り付けられている。
【００３５】
前部キャップ１５ｃは、チップホルダ収納体１５にチップホルダ１２を収納したときに、前開口部からのチップホルダ１２の脱落を防止するとともに、ホイールチップ１２ｅの刃先を保護するためのものであり、前壁１５ｈの内面にはホイールチップ１２ｅの刃先が嵌まり込む凹部が形成されている（図６参照）。また、後部キャップ１５ｄは、チップホルダ１２が収納穴１５ａの後開口部から脱落するのを防止するためのものである。
【００３６】
なお、上記の後部キャップ１５ｄに代えて、図８に示すような弾性爪１５ｘを用いることもできる。弾性爪１５ｘは、バネ１５ｚで押し上げ方向に弾力を受けた状態でチップホルダ収納体１５のドーム状本体１５ｂに取り付けられている。弾性爪１５ｘの先端は、チップホルダ１２を挿入しやすく、かつ抜け難いように、後開口部に斜面を向けた傾斜面で形成されているが、円弧であってもよい。
【００３７】
上記した実施例においては、各チップホルダ収納体１５に１個のチップホルダ１２を収納した例を示したが、図９に示すように、複数個、例えば５〜１０個のチップホルダ１２を収納することもできる。この場合、先行のチップホルダ１２の尾部に後続のチップホルダ１２のホイールチップ１２ｅが当って刃先が破損するのを防止するために、チップホルダ１２の尾部（図２における上端面）に刃先が嵌まり込む凹部１２ｐを設けるのがよい。
【００３８】
上記チップホルダ収納体１５は複数個用意され、種類の異なるホイールチップ１２ｅを備えたチップホルダ１２を種類ごとに区分けしてそれぞれのチップホルダ収納体１５に収納し、工場内などで保管される。そして使用時に、前部キャップ１５ｃを取り外した状態で基板加工装置Ａの載置棚１６に整列して配置する。
【００３９】
図１０は、複数の、例えば３個のチップホルダ収納体１５を整列して載置する載置棚１６と、該載置棚の近傍に設置されたロボット１７とを示す斜視図である。
この実施例において、載置棚１６は、チップホルダ収納体１５の平らな底面１５ｙを載置面として載置する３枚の棚板１６ａを備えている。各棚板１６ａには、チップホルダ収納体１５に収納されたチップホルダ１２の平坦面１２ｂが、棚板１６ａの前端縁１６ｂから突き出た状態で保持されるように、棚板周縁部に囲枠１６ｃが設けられている。また、各棚板１６ａは、前端縁１６ｂ側から見て階段状に組まれている。
【００４０】
ロボット１７は、先端に挟着爪１７ｂを有するロボットアーム１７ａと、このロボットアーム１７ａに取り付けられてチップホルダ１２の平坦面１２ｂに設けられたコード１２ｉを読み取るリーダ１７ｃとを備えている。ロボットアーム１７ａは、その先端の挟着爪１７ｂが、チップホルダ収納体１５から露出したチップホルダ１２の一対の平坦面１２ｂ、１２ｂを横から挟んで引き出すことができるように構成されている。この際、各棚板１６ａは階段状に組まれているので、他のチップホルダ１２に邪魔されることなく、目的のチップホルダ１２を掴んで引き出すことができるとともに、各チップホルダ１２のコード１２ｉが平面上で重なることがないので、上方からリーダ１７ｃで各チップホルダ１２のコード１２ｉを容易かつ正確に読み取ることができる。
また、挟着爪１７ｂで一対の平坦面１２ｂ、１２ｂを横から挟んで引き出す際に、各平坦面１２ｂのピン１２ｊ、１２ｊが引き抜き方向に対する挟着爪１７ｂへの掛かりとなって、確実かつ滑らかに引き出すことができる。この際、ピン１２ｊが各平坦面１２ｂ、１２ｂに配置されているので、挟着爪１７ｂを引き出し方向に対してバランスよく引っかけることができ、滑らかにチップホルダ１２を引き出すことができる。また、スクライブヘッドのホルダジョイント１３（図３参照）から抜き出す場合も同様である。
【００４１】
載置棚１６における複数の棚板１６ａは、図１１に示すように、同一平面上でロボット１７に近い側にある棚板１６ａほど、前端縁１６ｂが後退するようにそれぞれ後方にずらして形成してもよい。これにより、先の階段状に組み付けた実施例と同様に、ロボットアーム１７ａの挟着爪１７ｂでチップホルダ１２を引き出す際に、他のチップホルダ１２に邪魔されることなく、目的のチップホルダ１２を掴んで引き出すことができるとともに、上方からロボットアーム１７ａのリーダ１７ｃで各チップホルダ１２のコード１２ｉを読み取るのが容易となる。
【００４２】
上記した載置棚１６の棚板１６ａは、図１２に示すように、前端縁１６ｂが下方となるように傾斜して形成するのがよい。これにより、チップホルダ収納体１５からチップホルダ１２をロボットアーム１７ａで引き抜く際に、自重による滑り効果で軽く引き出すことができる。特に、図９で示した複数のチップホルダ１２を収納するチップホルダ収納体１５を棚板１６ａに載置する場合、チップホルダ１２が自重によって前進する程度の傾斜角を棚板１６ａにつけておくのがよい。これにより、先行のチップホルダ１２が引き出されると、後続のチップホルダ１２が自重によって前進してストッパ位置で次の引き出しのために待機させることができる。
【００４３】
図１の基板加工装置によりスクライブを開始するにあたっては、まず基板Ｗをテーブル１上に載置保持させる。そしてブリッジ８上に設置された２台のＣＣＤカメラ１８、１８で、図１３に示すように、基板上の左右２カ所の位置決め用アライメントマークＭ１、Ｍ２を検出する。このときのアライメントマークを結ぶ直線Ｓが、２台のＣＣＤカメラ１８、１８を結ぶ基準直線Ｌに対して傾いている場合には、テーブル１を回転駆動部２で回転させて傾き角が０になるように修正する。また、予め設定されたスクライブ開始位置に対するホイールチップ１２ｅのずれもＣＣＤカメラ１８によって検出される。もし、Ｙ方向にずれていれば、そのずれ量に相当する分だけテーブル１を移動させる。また、Ｘ方向にずれていれば、スクライブヘッド１０をそのずれ量に相当する分だけＸ方向に移動させる。このＸ−Ｙ方向のずれの補正や基板の傾き角の修正は、図１４のブロック図に示すように、付帯するコンピュータ１９の制御部２０によって行われる。
【００４４】
図１４のブロック図において、２台のＣＣＤカメラ１８からの出力はコンピュータ１９の制御部２０に与えられる。制御部２０は、補正値に基づいてテーブル回転駆動部２を動作してテーブル１を回転し、前記傾き角が０になるように修正する。また、Ｘ−Ｙ方向のずれの補正もそれぞれの駆動部２１、２２を駆動することにより行われる。補正完了後、チップホルダ昇降駆動部２３を駆動してチップホルダ１２を下降させ、基板Ｗにホイールチップ１２ｅを押しつけながらホイールチップ１２ｅとテーブル１の一方または双方を移動させることにより、基板ＷをＸ−Ｙ方向にスクライブしてスクライブ溝を形成する。このときに使用されるホイールチップ１２ｅの走行距離はデータ保持部２４に記録され、ホイールチップ１２ｅの交換時期になればアラームなどで表示される。
【００４５】
チップホルダ１２のコード１２ｉには以下のデータが記録されている。このコードは１次元コード、例えばバーコードを用いてもよいが、狭い面積で多くの情報を入力できる２次元コードが好ましい。２次元コードは直接印字して形成されるが、ラベルを貼り付けるようにしてもよい。データの入力は付帯するコンピュータで行われ、個体識別用の番号、刃先の形態や直径などのホイールチップ固有の仕様に加え、以下で説明する「外切り」「内切り」などのスクライブ方式やスクライブのレシピに符合する型式番号などが記録されている。
【００４６】
基板Ｗをホイールチップでスクライブする方法には、「外切り」と「内切り」とがあり、基板の種類や用途によって選択的に使い分けられている。「外切り」は、図１５（ａ）に示すように、ホイールチップ１２ｅの最下端を基板Ｗの表面（上面）より僅かに下方まで降下させた状態で、基板Ｗの端縁の外側位置（スクライブ開始位置）にセットする。そしてセットした位置から水平移動させ、基板端部に衝突させて乗り上げ、さらに所定のスクライブ圧で押圧しながら水平移動させてスクライブを行う。一方「内切り」は、図１５（ｂ）に示すように、基板の端縁から内側（スクライブ開始位置）にてホイールチップ１２ｅを上方から下降させて基板に所定のスクライブ圧で当接させ、押圧しながら水平移動させてスクライブを行う。この「外切り」の際の基板端縁からスクライブ開始位置までの距離を「＋」値とし、「内切り」の際の基板端縁からスクライブ開始位置までの距離を「−」値とし、これら数値を段階的に分けた「外切り」「内切り」の各種スクライブレシピがコンピュータ１９に予め入力設定され、レシピ選択ボタン２５で選択できるようにしてある。例えば「外切り」で「＋」値が２ｍｍの場合は（Ａ１）のボタンを、「内切り」で「−」値が２ｍｍの場合は（Ａ５）のボタンといったように、複数の選択肢からレシピを選ぶことができるようにしてある。
【００４７】
ホイールチップ１２ｅが所定の走行距離を走って交換時期に達したときや別仕様のホイールチップ１２ｅに交換するときは、基板加工装置Ａが停止された後、ロボット１７によりホイールチップ１２ｅの交換が行われる。ロボット１７は交換すべきホイールチップ１２ｅを有するチップホルダ１２をホルダジョイント１３から取り外して別に用意した収納ボックスに移した後、ロボットアーム１７ａに取り付けられたリーダ１７ｃによりチップホルダ収納体１５にストックしてあるチップホルダ１２のコード１２ｉを読み取って、適正なチップホルダ１２を選択して抜き出し、ホルダジョイント１３に取り付ける。
【００４８】
また、コンピュータ１９には、選択されるレシピごとに好適なホイールチップ１２ｅの型式番号が登録されているので、コンピュータ１９に予め入力設定されているレシピの選択ボタン２５を選択するだけで、レシピに適合するチップホルダ１２に取り替えることができる。即ち、選択ボタン２５でレシピを選択すると、選択されたレシピに好適なチップホルダ１２が決定され、ロボットアーム１７ａが載置棚１６に載置してあるチップホルダ収納体１５に移動してリーダ１７ｃでチップホルダ１２のコード１２ｉを読み取って好適なチップホルダ１２をチップホルダ収納体１５から抜き取る。抜き取られたチップホルダ１２は、スクライブヘッド１０のホルダジョイント１３に取り付けられ、コンピュータに予め設定されたレシピ通りに自動的にスクライブされる。従って、レシピを設定するたびにオペレータがそのレシピに好適なチップホルダ１２を選択する煩雑さを解消することができる。
【００４９】
以上、本発明の代表的な実施例について説明したが、本発明は必ずしも上記の実施形態に特定されるものではなく、その目的を達成し、請求の範囲を逸脱しない範囲内で適宜修正、変更することが可能である。
【産業上の利用可能性】
【００５０】
本発明は、基板の表面にホイールチップを押しつけながらスクライブすることにより、基板に分断用のスクライブラインを加工したり分断したりする基板加工装置に利用することができる。
【符号の説明】
【００５１】
Ａ  基板加工装置
Ｗ  基板
１  テーブル
１０  スクライブヘッド
１２  チップホルダ
１２ａ  胴部
１２ｂ  平坦面
１２ｃ  切り欠き溝
１２ｄ  ホイール軸
１２ｅ  ホイールチップ
１２ｉ  コード
１３  ホルダジョイント
１５  チップホルダ収納体
１５ａ  収納穴
１５ｂ  ドーム状本体
１５ｃ  前部キャップ
１５ｄ  後部キャップ
１５ｉ  弾性ストッパ
１５ｊ  貫通孔
１５ｋ  傘状頭部
１５ｎ  切取線
１６  載置棚
１７  ロボット
１７ｂ  挟着爪
【図１】
2014008713.tif 000003
【図２】
2014008713.tif 000004
【図３】
2014008713.tif 000005
【図４】
2014008713.tif 000006
【図５】
2014008713.tif 000007
【図６】
2014008713.tif 000008
【図７】
2014008713.tif 000009
【図８】
2014008713.tif 000010
【図９】
2014008713.tif 000011
【図１０】
2014008713.tif 000012
【図１１】
2014008713.tif 000013
【図１２】
2014008713.tif 000014
【図１３】
2014008713.tif 000015
【図１４】
2014008713.tif 000016
【図１５】
2014008713.tif 000017
【図１６】
2014008713.tif 000018
【図１７】
2014008713.tif 000019
【図１８】
2014008713.tif 000020